(57)【要約】【課題】この発明は、壁、床、天井、又は屋根用に適用し得る建築用断熱材料に関し、特に、より安価に提供し得る一定形状の発泡樹脂性建築用断熱材料を提供する。【解決手段】互いに嵌合可能な１又は２辺に嵌合凹凸部を有する複数の発泡樹脂性建築用断熱板部材からなり、前記嵌合凹凸部を接合して全体として一体化された所定形状の発泡樹脂性建築用断熱板を提供する。【選択図】        図１
2005315037.tif 000002
【特許請求の範囲】
【請求項１】
互いに嵌合可能な１又は２辺に嵌合凹凸部を有する複数の部材からなり、前記嵌合凹凸部を接合すれば全体として所定形状の発泡樹脂性建築用断熱板となることを特徴とする建築用断熱材料。
【請求項２】
嵌合凹凸部は、相互に嵌合可能なアリ状の凹凸部である請求項１記載の建築用断熱材料。
【請求項３】
嵌合凹凸部は、一方の嵌合辺には円状凸部を有すると共に、他方の嵌合辺には前記円状凸部と嵌合する円状凹部を有する請求項１記載の建築用断熱材料。
【請求項４】
発泡樹脂性建築用断熱板の両端よりやや内側部に細溝を設けた請求項１、２又は３記載の建築用断熱材料。
【請求項５】
発泡樹脂性建築用断熱板の両外端にテ−パ−を設けた請求項１、２、３又は４記載の建築用断熱材料。
【請求項６】
発泡樹脂性建築用断熱板は発泡ポリスチレン樹脂よりなる請求項１、２、３、４又は５記載の建築用断熱材料。
【発明の詳細な説明】
【技術分野】
【０００１】この発明は、壁、床、天井、屋根用に適用し得る建築用断熱材料に関し、特に、より安価に提供し得る一定形状の発泡樹脂性建築用断熱材料に関する。
【背景技術】
【０００２】従来、壁、床、天井、屋根に様々な断熱材が使用されている。特に壁、床、天井、屋根の発泡樹脂性建築用断熱材料に関しては、特に各種のサイズのものが使用され、しかも一般に使用されている発泡樹脂性建築用断熱材料はほとんどが一枚ものである。（例えば特許文献１、特許文献２参照）
壁、床、天井、屋根の発泡樹脂性建築用断熱材料としては、ＥＰＳ（ビ−ズ法ポリスチレンフォ−ム）、ＸＰＳ（押出法ポリスチレンフォ−ム）、硬質ウレタンフ−ムが主として使用されており、ＥＰＳ（ビ−ズ法ポリスチレンフォ−ム）は、炭化水素を発泡ガスに用いているが、製造後短時間の中に、それらのガスは空気と置換され、従ってＥＰＳ（ビ−ズ法ポリスチレンフォ−ム）の発泡内の気体は空気であり、長期にわたって断熱性能の経時変化がすくないために、近時は好んで使用されるようになってきている。【０００３】
【特許文献１】特開平１１−３６５６１号
【特許文献２】特開２００１−１９３１６９号
【発明の開示】
【発明が解決しようとする課題】
【０００４】発泡ビ−ズ型物成型で一定形状の発泡ポリスチレン断熱材を壁材用断熱材として、離間する一対の間柱間に使用する場合であっても、又は床材用断熱材として離間する一対の根太間に一定形状の発泡ポリスチレン断熱材を使用する場合であっても、このような一定形状の発泡ポリスチレン断熱材を大型の成型品一体物として製造した場合、成型機及び金型費用等の設備費用が莫大になり、それによって成型品の単価が高価になる。建築仕様によっては、離間する一の柱と他の柱との間隔が壁、床、天井、屋根等々各種まちまちになる傾向になる。【０００５】従って、これらの対応するためには、各種の建築仕様に応じて大きさを異にする各種の壁材用断熱材又は床材用断熱材を製作するか、現場作業にて各種の大きさに対応するように切断するしかない。しかしながら、前者は製造時のコストがかかり過ぎるし、後者は現実の作業の効率性を損なうことになる。
【課題を解決するための手段】
【０００６】上記の課題を解決するために、請求項１の発明では、互いに嵌合可能な１又は２辺に嵌合凹凸部を有する複数の部材からなり、前記嵌合凹凸部を接合すれば全体として所定形状の発泡樹脂性建築用断熱板となることを特徴としている。
請求項２の発明では、嵌合凹凸部は、相互に嵌合可能なアリ状の凹凸部であることを特徴としている。
請求項３の発明では、嵌合凹凸部は、一方の嵌合辺には円状凸部を有すると共に、他方の嵌合辺には前記円状凸部と嵌合する円状凹部を有することを特徴としている。
請求項４の発明では、発泡樹脂性建築用断熱板の両端よりやや内側部に細溝を設けたことを特徴としている。
請求項５の発明では、発泡樹脂性建築用断熱板の両外端にテ−パ−を設けたことを特徴としている。
請求項６の発明では、発泡樹脂性建築用断熱板は発泡ポリスチレン樹脂よりなることを特徴としている。
【発明の効果】
【０００７】この発明は、互いに嵌合可能な１又は２辺に嵌合凹凸部を有する複数の部材からなり、前記嵌合凹凸部を接合すれば全体として所定形状の発泡樹脂性建築用断熱板となることとしてあるので、製造時にはより小型の発泡樹脂性建築用断熱板を製造して、これらの嵌合可能な接合辺を嵌合させることによって、所定の大きさの発泡樹脂性建築用断熱板を形成するようにしてあるから、壁、床、天井、屋根の発泡樹脂性建築用断熱材料として使用できるので、従来の発泡樹脂性建築用断熱板より大幅なコストダウンを図ることができる。
【発明を実施するための最良の形態】
【０００８】この発明は、互いに嵌合可能な１又は２辺に嵌合凹凸部を有する複数の部材からなり、前記嵌合凹凸部を接合すれば全体として所定形状の発泡樹脂性建築用断熱板としたものである。
【実施例１】
【０００９】例えば、壁用の建築用断熱材料に使用する場合について説明すれば、図１〜図５において、離間位置に設けられた一対の柱１、１間の間に、発泡ポリスチレン樹脂からなる所定大の壁用の発泡樹脂性建築用断熱板２が嵌合される。本願発明では、発泡ポリスチレン樹脂からなる所定大の壁用の発泡樹脂性建築用断熱板２は、予め嵌合可能な複数の枚数の壁用の発泡ポリスチレン樹脂からなる方形状の発泡樹脂性建築用断熱板部材３、３の嵌合辺を嵌合することによって形成される。各壁用の発泡樹脂性建築用断熱板部材３、３の嵌合辺にはそれぞれ嵌合凹凸部４が形成されている。この嵌合凹凸部４は、抜け防止用に一方の嵌合辺の蟻状凸部４ａと蟻状凹部４ｂとが交互に連続する形状とすることによって、両者の嵌合が一体化することになる。図１及び図４ではでは、嵌合辺は縦方向であるが、図５に示すように横方向でも可能である。【００１０】更に、各種の寸法に適応するべく、嵌合位置は、図１では各壁用の発泡樹脂性建築用断熱板部材３、３の横幅の比は、１対１であるが、図４では各壁用の発泡樹脂性建築用断熱板部材３、３の横幅の比は２対１としてある。【００１１】各壁用の発泡樹脂性建築用断熱板部材３、３の両側端部５は、一対の間柱１、１間の間に嵌合性を良好にすべくテ−パ−５、５を設けてあると共に各壁用の発泡樹脂性建築用断熱板部材３、３を嵌合させたときに嵌合状態をアジャストするようにスリット６、６を形成してある。上記テ−パ−５及びスリット６は図２に示すように両側に形成してもよい。前記のような構造の壁用の発泡樹脂性建築用断熱板部材３の成型は、発泡ビ−ズ型物成型よるものであり、この成型法による場合、後加工の必要性がなくなくなる利点かある点で優れている。【００１２】図３において、間柱１、１の間に発泡樹脂性建築用断熱板２をはめ込み、室内側には内装材７を貼付け、更にその外面にクロス８を貼着してある。又、間柱１の間の外面側には外壁用の構造用合板９を取り付けてあるものである。【００１３】なお、上記の説明は、便宜上垂直的に使用する壁用の発泡樹脂性建築用断熱板２として説明してあるが、床用としての説明では、一対の根太間又は大引間に水平に敷設する床用の発泡樹脂性建築用断熱板としても基本的には同様である。【００１４】更に、上記の説明では、壁用又は床用について説明したが、壁用又は床用にだけでなく、天井用又は屋根用の発泡樹脂性建築用断熱板としても上記の説明と同様に一の柱と他の柱との間に発泡樹脂性建築用断熱板部材を嵌め込んで発泡樹脂性建築用断熱板使用することももちろん可能である。【００１５】図１〜図４では、嵌合凹凸部４は垂直方向のみに設けられているが、図５においては嵌合凹凸部４を垂直方向及び水平方向にも形成することによって、より多くの発泡樹脂性建築用断熱板部材３を随時に組み合わせ一体化し得るようにしてある。
【実施例２】
【００１６】図６〜図７において、発泡樹脂性建築用断熱板部材３、３の垂直状嵌合辺１０の一方の嵌合辺には円状凸部１１を有すると共に、他方の嵌合辺には前記円状凸部１１と嵌合する円状凹部１２を形成するようにして、前記円状凸部１１と円状凹部１２との嵌合とによって両者の一体化を図るようにすることもできる。
図８において、発泡樹脂性建築用断熱板部材３、３にはそれぞれ水平状嵌合辺を設け、この水平状嵌合辺１０に設けられた円状凸部１１と円状凹部１２との嵌合によって上下発泡樹脂性建築用断熱板部材３、３を一体化して壁、床、天井、屋根の発泡樹脂性建築用断熱材料２としたものである。
【産業上の利用可能性】
【００１７】壁、床、天井、又は屋根用の発泡樹脂性建築用断熱板部材を予め小型の型物として製作し、その嵌合辺に設けた嵌合凹凸部を嵌合させて一体化することによって、使用可能な所定の大きさの発泡樹脂性建築用断熱板を得るようにしてあるから、従来の同種の壁用、床用天井用又は、屋根用の発泡樹脂性建築用断熱板部材を格段に低コストにて提供することができることとなる。
【図面の簡単な説明】
【００１８】
【図１】垂直方向に複数の建築用断熱材料部材を嵌合した状態を示す斜視図
【図２】図１のＡ−Ａ線断面図
【図３】一対の間柱と間柱との間に装着した状態を示す水平断面図
【図４】横幅を異にする複数の建築用断熱材料部材を嵌合した状態を示した斜視図
【図５】垂直方向及び水平方向に複数の建築用断熱材料部材を嵌合した状態を示す斜視図
【図６】嵌合辺に円状凸部と円状凹部とが嵌合した状態を示す斜視図
【図７】図６のＢ−Ｂ線断面図
【図８】上下に建築用断熱材料部材を嵌合した状態を示す斜視図
【符号の説明】
１．．．．柱
２．．．．発泡樹脂性建築用断熱板
３．．．．発泡樹脂性建築用断熱板部材
４．．．  嵌合凹凸部
５．．．．テ−パ−
６．．．．スリット
７．．．  内装材
８．．．．クロス
９．．．．外壁用の構造用合板
１１．．．円状凸部
１２．．．円状凹部
【図１】
2005315037.tif 000003
【図２】
2005315037.tif 000004
【図３】
2005315037.tif 000005
【図４】
2005315037.tif 000006
【図５】
2005315037.tif 000007
【図６】
2005315037.tif 000008
【図７】
2005315037.tif 000009
【図８】
2005315037.tif 000010